【事件の表示】
　平成　７年特許願第１３３７３１号「画像処理システム、画像処理方法、及びコントローラ」拒絶査定不服審判事件〔平成　８年１２月１３日出願公開、特開平　８−３３１３９８〕について、次のとおり審決する。
【結　論】
　本件審判の請求は、成り立たない。
【理　由】
１．手続きの経緯
　本願は、平成７年５月３１日の出願であって、平成１７年１月１１日に拒絶査定がなされ、これに対して同年２月１０日に拒絶査定を不服とする審判請求がなされるとともに、同年３月１４日に手続き補正がなされたものである。
　
２．平成１７年３月１４日付けの手続補正の却下について
［補正却下の決定の結論］
　　平成１７年３月１４日付けの手続補正を却下する。
［理由］
　　平成１７年３月１４日付けの手続補正（以下、「本件補正」という。）により、特許請求の範囲は、「【請求項１】　ホストとコントローラと画像処理装置で構成される画像処理システムにおいて、
　前記ホストにおいて、ユーザの指示に従って、前記画像処理装置における複数種の色処理の条件を示す色処理コマンドを画像に対応させて選択する選択手段と、
　前記コントローラにおいて前記色処理コマンドを前記画像処理装置における複数種の色処理を制御するために色処理の各々に対応した制御信号に変換する変換手段と、
　前記画像処理装置において前記色処理の各々に対応した制御信号に基づき画像データを色処理する色処理手段とを有することを特徴とする画像処理システム。
　　【請求項２】　前記色処理コマンドは前記画像の入力画像の特徴に対応していることを特徴とする請求項１記載の画像処理システム。
　　【請求項３】　前記入力画像はスキャナ画像及びＣＧ画像であることを特徴とする請求項２記載の画像処理装置。
　　【請求項４】　前記画像処理システムは複数画像で構成される１画像を生成するものであって、
　前記選択手段は前記各画像ごとに領域及び前記色処理コマンドを選択することを特徴とする請求項１記載の画像処理システム。
　　【請求項５】　ホストとコントローラと画像処理装置で構成される画像処理システムにいおける画像処理方法において、
　前記ホストにおいて、ユーザの指示に従って、前記画像処理装置における複数種の色処理の条件を示する色処理コマンドを画像に対応させて選択する選択工程と、
　前記コントローラにおいて前記色処理コマンドを前記画像処理装置における複数種の色処理を制御するために色処理の各々に対応した制御信号に変換する変換工程と、
　前記画像処理装置において前記色処理の各々に対応した制御信号に基づき画像データを色処理する色処理工程とを有することを特徴とする画像処理方法。
　　【請求項６】　ホストにおいて、ユーザの指示に従って、画像に対応させて選択された、前記画像処理装置における複数種の色処理の条件を示す色処理コマンドを受信する受信手段と、
　前記色処理コマンドを画像処理装置における複数種の色処理を制御するために色処理の各々に対応した制御信号に変換する変換手段と、
　前記色処理の各々に対応した制御信号に基づき画像データを色処理する画像処理装置に該制御信号を出力する出力手段とを有することを特徴とするコントローラ。
　　【請求項７】　ホストにおいて、ユーザの指示に従って、画像に対応させて選択された、前記画像処理装置における複数種の色処理の条件を示す色処理コマンドを受信する受信工程と、
　前記色処理コマンドを画像処理装置における複数種の色処理を制御するために色処理の各々に対応した制御信号に変換する変換工程と、
　前記色処理の各々に対応した制御信号に基づき画像データを色処理する画像処理装置に該制御信号を出力する出力工程とを有することを特徴とする画像処理方法。」と補正された。
　上記補正は、請求項１，５，６，７において、「予め前記画像処理装置における複数の色処理に関するパラメータが設定されている色処理コマンド」を「前記画像処理装置における複数種の色処理の条件を示す色処理コマンド」と特定し、「画像処理装置における複数の色処理を制御するために」を「画像処理装置における複数種の色処理を制御するために」と特定するものであって、いずれも「複数の色処理」を「複数種の色処理」と、単に「複数」であるものを「複数種」と複数の種類であることに限定し、この点においては特許請求の範囲を減縮するものと考えられるが、「予め」というタイミングの限定を削除しており、タイミングについては限定のないものに拡張しており、また、「色処理に関するパラメータが設定されている」を「色処理の条件を示す」と、パラメータが設定されているという具体的な下位の規定を、上位概念である条件を示すと拡張している。
　そうすると、上記補正は、特許請求の範囲の減縮を目的とするものとはいえない。
　また、上記補正は、請求項の削除、誤記の訂正、明りょうでない記載の釈明（拒絶理由通知に係る拒絶の理由に示す事項についてするものに限る。）を目的とするものでないことは明らかである。
　したがって、上記補正は、特許法第１７条の２第４項第１号〜第４号に規定する事項を目的とするものではなく、特許法第１７条の２第４項の規定に違反してなされたものであるから、特許法第１５９条第１項の規定により読み替えて準用する同法第５３条第１項の規定により却下すべきものである。
　
３．本願発明について
（１）平成１７年３月１４日付けの手続補正は上記のとおり却下されたので、本願の請求項１〜７に係る発明は、平成１６年１２月６日付け手続補正書の特許請求の範囲の請求項１〜７に記載された事項により特定される、以下のとおりのものである（以下、請求項１に係る発明を「本願発明」という。）。
「【請求項１】　ホストとコントローラと画像処理装置で構成される画像処理システムにおいて、
　前記ホストにおいて、ユーザの指示に従って、予め前記画像処理装置における複数の色処理に関するパラメータが設定されている色処理コマンドを画像に対応させて選択する選択手段と、
　前記コントローラにおいて前記色処理コマンドを前記画像処理装置における複数の色処理を制御するために色処理の各々に対応した制御信号に変換する変換手段と、
　前記画像処理装置において前記色処理の各々に対応した制御信号に基づき画像データを色処理する色処理手段とを有することを特徴とする画像処理システム。
　　【請求項２】　前記色処理コマンドは前記画像の入力画像の特徴に対応していることを特徴とする請求項１記載の画像処理システム。
　　【請求項３】　前記入力画像はスキャナ画像及びＣＧ画像であることを特徴とする請求項２記載の画像処理装置。
　　【請求項４】　前記画像処理システムは複数画像で構成される１画像を生成するものであって、
　前記選択手段は前記各画像ごとに領域及び前記色処理コマンドを選択することを特徴とする請求項１記載の画像処理システム。
　　【請求項５】　ホストとコントローラと画像処理装置で構成される画像処理システムにいおける画像処理方法において、
　前記ホストにおいて、ユーザの指示に従って、予め前記画像処理装置における複数の色処理に関するパラメータが設定されている色処理コマンドを画像に対応させて選択する選択工程と、
　前記コントローラにおいて前記色処理コマンドを前記画像処理装置における複数の色処理を制御するために色処理の各々に対応した制御信号に変換する変換工程と、
　前記画像処理装置において前記色処理の各々に対応した制御信号に基づき画像データを色処理する色処理工程とを有することを特徴とする画像処理方法。
　　【請求項６】　ホストにおいて、ユーザの指示に従って、画像に対応させて選択された、予め画像処理装置における複数の色処理に関するパラメータが設定されている色処理コマンドを受信する受信手段と、
　前記色処理コマンドを画像処理装置における複数の色処理を制御するために色処理の各々に対応した制御信号に変換する変換手段と、
　前記色処理の各々に対応した制御信号に基づき画像データを色処理する画像処理装置に該制御信号を出力する出力手段とを有することを特徴とするコントローラ。
　　【請求項７】　ホストにおいて、ユーザの指示に従って、画像に対応させて選択された、予め画像処理装置における複数の色処理に関するパラメータが設定されている色処理コマンドを受信する受信工程と、
　前記色処理コマンドを画像処理装置における複数の色処理を制御するために色処理の各々に対応した制御信号に変換する変換工程と、
　前記色処理の各々に対応した制御信号に基づき画像データを色処理する画像処理装置に該制御信号を出力する出力工程とを有することを特徴とする画像処理方法。」
（２）引用例
　原査定の拒絶の理由に引用された特開昭６３−３１６２７５号公報（以下、「引用例」という。）には、
　ア　「 本発明は、人物画像とコンピュータグラフィックス画像に対して最適な色補正を行なう合成画像の色補正方法に関するものである。」（１頁右下欄、〔産業上の利用分野〕）、
　イ　「 本発明は、人物画像とCG画像の両方に対して最適な色補正を行なうことができるようにした合成画像の色補正方法を提供することを目的とするものである。」（２頁左上欄〜右上欄、〔発明の目的〕）、
　ウ　「第１図は本発明を実施するカラービデオプリンタを示すものである。・・・ 前記フレームメモリ１４から読み出された各色の人物画像信号と、フロッピィ１５から入力されたCG画像信号は、バスライン１７を介して色毎に階調補正を行なうためのルックアップテーブルメモリ１８にそれぞれ送られる。このルックアップテーブルメモリ１８には、予め用意された複数のテーブルデータの中から選択したものが書き込まれており、ライティングや被写体の種類（直撮，プリント写真，ネガフイルム，ポジフイルム,CG画像等）による変化を補正する。例えば、直撮の場合には、グレイ板を直撮した時に、各色の画像信号が指定した値（各色とも同じ値）になるように階調補正を行なう。また、カラーネガフイルムでは、グレイ板を撮影したカラーネガフイルムを用い、これをカラーTVカメラで撮像し、各色の画像信号が指定した値になるように補正する。なお、CG画像では、画像入力時での変化がないため、階調補正を行わない線型テーブルデータが用いられる。 色補正回路１９は、人物画像及びCG画像に対してマトリックス演算式（１）を用いて、彩度を上げるための色補正を行なう。・・・ 前記色補正回路１９は、マトリックス演算を高速に行なうために、画像信号に係数を掛けたものをテーブルデータとして記憶する９個のルックアップテーブルメモリ２０と、これらから出力されたデータを加算する３個の加算器２１とから構成されている。・・・これらの ルックアップテーブルメモリ２４ａ、２４ｂは、カラー印画紙の種類や現像液の特性の変化を補正するためのものであり、ルックアップテーブルメモリ１８において説明したように、指定した値（三色とも同じ値）で実際にプリントした時に、プリント写真上でグレイになるように補正するデータが書き込まれている。・・・前記コントローラ１６は、コンピュータで構成されており、キーボード４６からの指示により、予め設定したシーケンスに従って各部を制御する。また、メモリ４７は、RAMとROMとから構成されており、プログラムやテーブルデータ等が記憶されている。」（２頁左下欄〜４頁左上欄）、
　エ　「次に、上記実施例の作用について説明する。例えばスタジオNo.1において、人物を撮像する場合には、キーボード４６を操作してスタジオNo.1での直撮であることを指示する。コントローラ１６は、メモリ４７に記憶された直撮用テーブルデータ５１ａを読み出し、これをルックアップテーブルメモリ１８に書き込む。また、コントローラ１６は、メモリ４７から人物画像用係数データ５６を読み出し、演算によって人物画像用テーブルデータを作成し、これを色補正回路１９のルックアップテーブルメモリ２０に書き込む。」（４頁右下欄〜５頁左上欄）、
　オ　「CG画像を入力する場合には、キーボード４６を操作して、コントローラ１６にCG画像の入力を指示する。このコントローラ１６は、ルックアップテーブルメモリ１８にCG用テーブルデータ５０を書き込み、またルックアップテーブルメモリ２０にCG用計数データ５５を用いて作成したテーブルデータを書き込む。」（５頁非議上欄〜左下欄）が記載されている。
　これらの記載ア〜オ及び図面第１図〜第７図によれば、引用例には「キーボードとコントローラと色補正回路を備えるカラービデオプリンタにおいて、キーボードを操作して入力画像の種類（人物画像及びCG画像）を選択し、この選択に応じコントローラは、所定のテーブルデータを色処理回路のルックアップテーブルメモリに書き込み、色補正回路は、人物画像及びCG画像に対してマトリックス演算式を用いて、彩度を上げるための色補正を行なうことを特徴とするカラービデオプリンタ」の発明（以下、「引用発明」という。）が記載されている。
　
（２）対比
　そこで、本願発明と引用発明とを対比する。
　引用発明の「キーボード」、「色補正回路とカラービデオプリンタの画像入力・印刷機能部分」、「カラービデオプリンタの全体」は、本願発明の「選択手段」、「画像処理装置」、「画像処理システム」に相当する。
　引用発明の「入力画像の種類を選択し」は、本願発明の「色処理コマンドを画像に対応させて選択し」の上位概念に相当するものである。
　引用発明の「キーボードを操作して」は、ユーザが指示する１形態であるから、本願発明の「ユーザの指示に従って」に相当し、引用発明の「所定のテーブルデータを色処理回路のルックアップテーブルメモリに書き込み」は、この所定のテーブルデータ及び書き込みの信号は、色補正回路による色処理を制御するものであるから、本願発明の「画像処理装置における色処理を制御するための色処理に対応した制御信号」に相当する。
　引用発明の「コントローラ」は、キーボードからの選択信号を、所定のテーブルデータを色処理回路のルックアップテーブルメモリに書き込み信号に変換しているといえるから、「変換手段」を有しているといえ、引用発明の「色補正回路」は、画像データを色処理する色処理手段の１つであるから、本願発明の「画像データを色処理する色処理手段」に相当する。
　したがって、本願発明と引用発明は、「画像処理システムにおいて、ユーザの指示に従って、前記画像処理装置における色処理を画像に対応させて選択する選択手段と、前記コントローラにおいて選択手段からの信号を前記画像処理装置における色処理を制御するために色処理に対応した制御信号に変換する変換手段と、前記画像処理装置において前記色処理に対応した制御信号に基づき画像データを色処理する色処理手段とを有することを特徴とする画像処理システム。」の点で一致し、以下の点で相違する。
　相違点１
　画像処理システムは、本願発明では、ホストとコントローラと画像処理装置で構成されるのに対して、引用発明では、キーボードとコントローラと色補正回路をそなえるカラービデオプリンタで構成されている点。
　相違点２
　画像処理装置は、本願発明では、複数の色処理を行うため、色処理の各々に対応した制御信号に基づき画像データを色処理する色処理手段を用いているのに対して、引用発明では、色補正回路が１つであり、１種類の色処理を行う構成である点。
　相違点３
　入力画像の種類を選択するに際し、本願発明では、予めパラメータが設定されている色処理コマンドを使用しているのに対して、引用発明では、入力画像の種類を選択するが、色処理コマンドを使用していない点。
（３）判断
　以下、上記相違点１〜３について検討する。
  相違点１について
　画像処理の技術分野において、画像処理システムをホストとコントローラと画像処理装置で構成することは周知技術（以下、「周知技術１」といい、これを示す文献：特開平４ー３６２８５６号公報、特開平７−７７９５９号公報）であり、引用発明の「キーボード」は入力画像の種類を選択し、「コントローラ」は、キーボードからの選択信号を、所定のテーブルデータを色処理回路のルックアップテーブルメモリに書き込み信号に変換し、「色補正回路とカラービデオプリンタの画像入力・印刷機能部分」は画像処理装置の、それぞれの作用をしており、上記周知技術１のそれぞれの構成も同一の作用が行えるものであるから、引用発明の「画像処理システム」において、上記周知技術を採用することは格別困難なことではない。そうすると、引用発明において、上記周知技術１を適用して、画像処理システムをホストとコントローラと画像処理装置で構成することは、当業者が容易に想到できたことである。
　相違点２について
　画像処理の技術分野において、複数の色処理を行うため、色処理の各々に対応した制御信号に基づき画像データを色処理する色処理手段を用いることは周知技術（以下、「周知技術２」といい、これを示す文献：特開平６−２００４２号公報、特開平４−２７１５６９号公報、特開平４−２６０２７４号公報）であり、引用発明においても、複数の色処理を行うための構成とすることに格別阻害要因となるものは認められないから、引用発明において、上記周知技術２を適用して、複数の色処理を行うため、色処理の各々に対応した制御信号に基づき画像データを色処理する色処理手段を用いることは、当業者が容易に想到できたことである。
　相違点３について
　画像処理の技術分野において、コマンドにより指示を出し、このコマンドを解析して色処理をすること及び予めパラメータを設定して色処理をすることは周知技術（以下、「周知技術３」といい、これを示す文献：特開平７−７７９５９号公報、特開平４−２７１５９号公報）であり、引用発明のコントローラはコンピュータを用いており、指示を出すためコマンドを使用することは設計上可能であるといえ、制御されている色補正回路も係数を予め設定して色処理するものであるから、引用発明において、上記周知技術３を適用して、入力画像の種類を選択するに際し、予めパラメータが設定されている色処理コマンドを使用することは、当業者が容易に想到することができたことである。
　
（４）むすび
　以上のとおり、請求項１に係る発明は、引用例に記載された発明及び周知技術に基づいて、当業者が容易に発明をすることができたものであるから、特許法第２９条第２項の規定により特許を受けることができない。したがって、本願は、他の請求項に係る発明について論ずるまでもなく、拒絶されるべきものである。
　よって、結論のとおり審決する。